(57)【要約】      （修正有）【課題】既存の灯具やポールを用いながらも灯具の落下を防止する照明ポールの灯具落下防止構造を提供する。【解決手段】灯具落下防止構造は、点検口１２の開口面１２ａより大きいプレート部材１４を点検口蓋１３と点検口１２との間に介在させた状態で、プレート部材１４における点検口１２側の面にワイヤー３０の他端３２を固定するポール側抜止機構Ｘ１を有し、さらに、灯具のポール１０に対する固定状態が解消されたときに、ワイヤー３０の一端側によって灯具を支持可能にする灯具側抜止機構を有する。【選択図】図６
0003199500.tif 000002
【実用新案登録請求の範囲】
【請求項１】
点検口蓋により塞がれる点検口を有するポールと、前記ポールの先端部に取り付けた灯具と、を備える照明ポールの灯具落下防止構造であって、
前記灯具は、前記ポールの前記先端部を挟持具により挟持することによって、前記先端部に対して取り付けられて固定され、
前記ポール内部には、ワイヤーが前記先端部からその一端が出る状態で挿通され、
前記点検口の開口面より大きいプレート部材を前記点検口蓋と前記点検口との間に介在させた状態で、前記プレート部材における前記点検口側の面に前記ワイヤーの他端を固定するポール側抜止機構を有し、
さらに、前記灯具の前記ポールに対する固定状態が解消されたときに、前記ワイヤーの一端側によって前記灯具を支持可能にする灯具側抜止機構を有する灯具落下防止構造。
【請求項２】
点検口蓋により塞がれる点検口を有するポールと、前記ポールの先端部に取り付けた灯具と、を備える照明ポールの灯具落下防止構造であって、
前記灯具は、前記ポールの前記先端部を挟持具により挟持することによって、前記先端部に対して取り付けられて固定され、
前記ポール内部には、ワイヤーが前記先端部からその一端が出る状態で挿通され、
前記点検口蓋の前記点検口側の面に前記ワイヤーの他端を固定するポール側抜止機構を有し、
さらに、前記灯具の前記ポールに対する固定状態が解消されたときに、前記ワイヤーの一端側によって前記灯具を支持可能にする灯具側抜止機構を有する灯具落下防止構造。
【請求項３】
点検口蓋により塞がれる点検口を有するポールと、前記ポールの先端部に取り付けた灯具と、を備える照明ポールの灯具落下防止構造であって、
前記灯具は、前記ポールの前記先端部を挟持具により挟持することによって、前記先端部に対して取り付けられて固定され、
前記ポール内部には、ワイヤーが前記先端部からその一端が出る状態で挿通され、
前記ポールには、前記点検口よりも先端側に位置し、その内径が前記ポールにおける前記点検口側の内径よりも小さい縮径部が形成され、
前記縮径部の内径よりも大きい幅に形成された部分を有する係止具を、前記縮径部よりも前記点検口側において前記ワイヤーの他端に固定するポール側抜止機構を有し、
さらに、前記灯具の前記ポールに対する固定状態が解消されたときに、前記ワイヤーの一端側によって前記灯具を支持可能にする灯具側抜止機構を有する灯具落下防止構造。
【請求項４】
前記ポール側抜止機構は、前記係止具が前記縮径部に当接する状態で形成されている請求項３に記載の灯具落下防止構造。
【請求項５】
前記縮径部は前記ポールの前記先端部に形成されている請求項３又は４に記載の灯具落下防止構造。
【請求項６】
前記ワイヤーの一端には、前記挟持具を引掛け可能な引掛部が形成され、
前記灯具側抜止機構は、前記固定状態が解消されたときに、前記挟持具を前記引掛部が引掛けることにより前記ワイヤーの一端によって前記灯具を支持可能である請求項１〜５のいずれか１項に記載の灯具落下防止構造。
【請求項７】
前記ワイヤーの一端は輪状に形成され、
前記灯具側抜止機構は、前記灯具に対して既設のボルトにより前記ワイヤーの一端を前記灯具に対して固定することで、前記固定状態が解消されたときに、前記ワイヤーの一端によって前記灯具を支持可能である請求項１〜５のいずれか１項に記載の灯具落下防止構造。
【考案の詳細な説明】
【技術分野】
【０００１】
本考案は、点検口蓋により塞がれる点検口を有するポールと、前記ポールの先端部に取り付けた灯具と、を備える照明ポールの灯具落下防止構造に関する。
【背景技術】
【０００２】
この種の照明ポールにおいて、灯具は、ポールの先端部を灯具に設けた挟持具と灯具とにより挟持することによって、先端部に対して取り付けられて固定されることが一般的である。この場合、例えば、挟持具は灯具に対してボルトにより取り付けられ、そして、このボルトを巻き締めることによりポールの先端部が挟持具と灯具とにより挟持されて、灯具が取り付けられることが考えられるが、経年により挟持具と灯具とにより挟持される力が弱まり、その結果、ポールの先端部から灯具が落下する虞がある。そして、このような灯具の落下を防止するのに、ポール内にワイヤーを挿通して、一端を灯具に固定し、他端をポールに固定することが考えられる。
【０００３】
この場合、ワイヤーの端部を固定させるための部分を灯具やポールに形成しなければならない。そうすると、既存の灯具やポールでは対応できず、ワイヤー固定部を新たに設けた灯具やポールを製造する必要が生じる。しかし、既存の灯具やポールを用いながらも灯具の落下を防止できるほうがコストや汎用性の面でも有効となる。
【考案の概要】
【考案が解決しようとする課題】
【０００４】
既存の灯具やポールを用いながらも灯具の落下を防止できる照明ポールの灯具落下防止構造の実現が望まれる。
【課題を解決するための手段】
【０００５】
本考案に係る灯具落下防止構造は、
点検口蓋により塞がれる点検口を有するポールと、前記ポールの先端部に取り付けた灯具と、を備える照明ポールの灯具落下防止構造であって、
前記灯具は、前記ポールの前記先端部を挟持具と前記灯具とにより挟持することによって、前記先端部に対して取り付けられて固定され、
前記ポール内部には、ワイヤーが前記先端部からその一端が出る状態で挿通され、
前記点検口の開口面より大きいプレート部材を前記点検口蓋と前記点検口との間に介在させた状態で、前記プレート部材における前記点検口側の面に前記ワイヤーの他端を固定するポール側抜止機構を有し、
さらに、前記灯具の前記ポールに対する固定状態が解消されたときに、前記ワイヤーの一端側によって前記灯具を支持可能にする灯具側抜止機構を有する。
【０００６】
この構成によれば、照明ポールにおいて通常形成されている点検口を用いて、点検口の開口面より大きいプレート部材を、点検口蓋と点検口との間に介在させた状態、即ち、点検口の外側に位置させた状態で、プレート部材における点検口側の面にワイヤーの他端を固定されている。これにより、点検口によりプレート部材が抜け止めされるから、ワイヤーの他端がポールに対して固定される。したがって、ワイヤー固定部を設けたポールを新たに製造することなく、既存のポールに形成されている点検口より大きいプレート部材を利用するのみで、灯具の落下を防止できる。
【０００７】
本考案に係る灯具落下防止構造では、上記灯具落下防止構造におけるポール側抜止機構に代えて、前記点検口蓋の前記点検口側の面に前記ワイヤーの他端を固定するポール側抜止機構としても好適である。
【０００８】
この構成によれば、既存のポールにおける点検口蓋を、ワイヤー固定可能なものに変更するのみで、既存のポールを用いながらも、灯具の落下を防止できる。
【０００９】
本考案に係る灯具落下防止構造では、前記ポールは、前記点検口よりも先端側に位置し、その内径が前記ポールにおける前記点検口側の内径よりも小さい縮径部が形成され、上記灯具落下防止構造におけるポール側抜止機構に代えて、前記縮径部の内径よりも大きい幅に形成された部分を有する係止具を、前記縮径部よりも前記点検口側において前記ワイヤーの他端に固定するポール側抜止機構としても好適である。
【００１０】
つまり、通常、照明ポールにおけるポールは、先端にかけてテーパー形状を有していたり、先端部にポールよりも内径の小さい灯具接続用の接続管を有しており、内径が他の部位よりも小さくなる縮径部（テーパー部分やポールと接続管との接続部など）が存在するのが一般的である。そこで、上記構成によれば、既存の照明ポールにおいて通常形成されている縮径部よりも大きな幅で形成された係止具を縮径部よりも点検口側においてワイヤーの他端に固定することにより、灯具がポールから抜けて落下しようとする場合に、縮径部が係止具を抜け止めして灯具の落下を防止することができる。このように、新たに係止具を用いるのみで、既存の照明ポールを用いながらも、灯具の落下を防止できる。
【００１１】
さらに、この構成において、前記ポール側抜止機構は、前記係止具が前記縮径部に当接する状態で形成されていると好適である。これにより、係止具と縮径部との間が当接していない両者間に遊びがある状態に比べ、必要なワイヤー長を短くすることができる。
【００１２】
またさらに、この構成において、前記縮径部は前記ポールの前記先端部に形成されていると好適である。ワイヤー長は、少なくとも灯具側抜止機構から縮径部よりも長い必要があるが、この構成によれば、縮径部がポールの先端部にあることにより灯具側抜止機構から縮径部までの長さが短くなるから、必要なワイヤー長を短くすることができる。
【００１３】
上記いずれかの構成において、前記ワイヤーの一端には、前記挟持具を引掛け可能な引掛部が形成され、前記灯具側抜止機構は、前記固定状態が解消されたときに、前記挟持具を前記引掛部が引掛けることにより前記ワイヤーの一端によって前記灯具を支持可能であると好適である。
【００１４】
この構成によれば、ワイヤーの一端に形成した引掛部により灯具の落下を防止することができるから、ワイヤー固定部を設けた新たな灯具を製造することなく、既存の灯具を用いながら、灯具の落下を防止できる。
【００１５】
上記いずれかの構成において、前記ワイヤーの一端は輪状に形成され、前記灯具側抜止機構は、前記灯具に対して既設のボルトにより前記ワイヤーの一端を前記灯具に対して固定することで、前記固定状態が解消されたときに、前記ワイヤーの一端によって前記灯具を支持可能であると好適である。
【００１６】
この構成によれば、灯具に対して何らかの部材を固定するためなど元々灯具に使用されていた既設のボルトによりワイヤーの一端を灯具に固定することで、灯具の落下を防止することができるから、ワイヤー固定部を設けた新たな灯具を製造することなく、既存の灯具を用いながら、灯具の落下を防止できる。
【図面の簡単な説明】
【００１７】
【図１】照明ポールの全体図
【図２】灯具のポールへの取り付け状態を示す図
【図３】第１実施形態におけるポールへのワイヤーの挿通を示す図
【図４】第１実施形態におけるワイヤーの一端に設けた引掛部を示す図
【図５】第１実施形態における灯具側抜止機構を示す図
【図６】第１実施形態におけるポール側抜止機構を示す図
【図７】第１実施形態におけるワイヤーの他端を示す図
【図８】第２実施形態におけるポール側抜止機構を示す図
【図９】第３実施形態における灯具落下防止構造の組立工程を示す図
【図１０】第３実施形態における灯具落下防止構造の組立工程を示す図
【図１１】第３実施形態における灯具落下防止構造の組立工程を示す図
【図１２】第３実施形態における灯具落下防止構造を示す図
【図１３】第３実施形態における係止具を示す図
【考案を実施するための形態】
【００１８】
〔第１の実施形態〕
本考案に係る照明ポールの灯具落下防止構造の第１の実施形態について、図面を参照して説明する。本実施形態に係る照明ポール１の灯具落下防止構造は、点検口蓋１３により塞がれる点検口１２を有するポール１０と、ポール１０の先端部１１に取り付けた灯具２０と、を備える照明ポール１の灯具落下防止構造である。灯具２０は、ポール１０の先端部１１を挟持具２１により挟持することによって、先端部１１に対して取り付けられて固定されている。ポール１０内部には、ワイヤー３０が先端部１１からその一端３１が出る状態で挿通されている。そして、点検口１２の開口面１２ａより大きいプレート部材１４を点検口蓋１３と点検口１２との間に介在させた状態で、プレート部材１４における点検口側の面１４ａにワイヤー３０の他端３２を固定するポール側抜止機構Ｘ１を有し、さらに、灯具２０のポール１０に対する固定状態が解消されたときに、ワイヤー３０の一端３１側によって灯具２０を支持可能とする灯具側抜止機構Ｙ１を有する。これにより、ワイヤー固定部を設けたポールを新たに製造することなく、既存のポールに形成されている点検口１２より大きいプレート部材１４を利用するのみで、灯具２０の落下を防止できる。以下、本実施形態に係る照明ポール１の灯具落下防止構造について、詳細に説明する。
【００１９】
図１に示すように、照明ポール１は、ポール１０と灯具２０とを備えて構成される。ポール１０は、環状であり、地面に対して垂直に延び、先端に向かうにつれて徐々に縮径するように形成されている。また、ある程度の高さ位置においてその先端１０ａが水平方向に向くように曲げられて形成されている。そして、図２に示すように、ポール１０の先端１０ａには、灯具２０と連結させる連結管１１が接続されている。連結管１１の外径はポール先端１０ａの内径と略同一に形成されており、連結管１１のポール側端部１１ａがポール先端１０ａに挿通され、溶接など適当な固定手段により固定されている。なお、詳しくは後述するが、連結管１１のポール側端部１１ａが、第３実施形態における縮径部に対応する。また、ポール１０は、その下部に修理点検等のための点検口１２を有する。この点検口１２は点検口蓋１３により塞がれる。なお。ポール１０の地面への連結形態はいわゆる埋込型でもベースプレート型でも特に限定されない。
【００２０】
灯具２０は、図２に示すように、ＬＥＤ電球や蛍光灯などの照明２５を備えている。照明２５は、ポール１０中に設けた図示しない安定器に接続され、また安定器は例えば地中を延びる電源ケーブルと接続されている。これにより、照明２５に安定して給電が行われ、照明２５を照らすことができる。また、灯具２０には、ポール１０と接続するため、２つのサドル（挟持具に相当）２１が設けられる。灯具２０は、接続管（ポールの先端部に相当）１１をサドル２１と灯具２０とにより挟持することによって、接続管１１に対して取り付けられて固定される。灯具２０とサドル２１の接合形態は特に限定されないが、本実施形態では、各サドル２１はボルト２２により灯具２０に取付けられて、ボルトの締め付けにより接続管１１がサドル２１と灯具２０とにより挟持される。また、挟持具として、サドル２１以外のものを用いても良い。
【００２１】
本実施形態に係る照明ポール１の灯具落下防止構造では、ポール１０には、ワイヤー３０が接続管１１からその一端３１が出る状態でポール内部に挿通されている。この灯具落下防止構造では、簡単に言えば、ワイヤー３０の他端３２をポール１０に対して固定するポール側抜止機構Ｘ１と、灯具２０のポール１０に対する固定状態が解消されたときに、ワイヤー３０の一端３１側によって灯具２０を支持可能にする灯具側抜止機構Ｙ１と、を有することで、照明ポール１において灯具２０の落下を防止する。
【００２２】
本実施形態に係るポール側抜止機構Ｘ１について説明すると、図６に示すように、本実施形態では、ポール側抜止機構Ｘ１は、点検口１２の開口面１２ａより大きいプレート部材１４を用いることにより、ワイヤー３０の他端をポール１１に対して固定している。具体的には、ポール側抜止機構Ｘ１は、プレート部材１４を点検口蓋１３と点検口１２との間に介在させた状態で、プレート部材１４における点検口側の面１４ａにワイヤー３０の他端３２を固定して形成されている。
【００２３】
つまり、照明ポール１において通常形成されている点検口１２を用いて、点検口１２の開口面１２ａより大きいプレート部材１４を、点検口蓋１３と点検口１２との間に介在させた状態、即ち、点検口１２の外側に位置させた状態で、プレート部材１４における点検口側の面１４ａにワイヤーの他端を固定させる。これにより、たとえ灯具２０が落下するときにワイヤーがポール１０の先端側に引っ張られても、点検口１２によりプレート部材１４が抜け止めされるから、ワイヤー３０の他端３２がポールに対して固定される。したがって、ワイヤー固定部を設けたポールを新たに製造することなく、既存のポール１０に形成されている点検口１２より大きいプレート部材１４を利用するのみで、灯具２０の落下を防止できる。
【００２４】
ポール側抜止機構Ｘ１の詳細構成について説明すると、プレート部材１４の点検口側の面１４ａにはシャックル１４ｂを設けてある。そして、ワイヤー他端３２はその先端を輪状に形成してある。より詳しくは、図７に示すように、輪状に形成したワイヤーの内側にシンブル３３を入れ、その状態で圧着スリーブ３４により輪状で固定する。このようにして輪状にしたワイヤー他端３２がシャックル１４ｂによってプレート部材１４に固定される。このようにしてポール側抜止機構Ｘ１が形成される。
【００２５】
灯具側抜止機構Ｙ１について説明すると、図４に示すように、灯具側抜止機構Ｙ１として、ワイヤー３０の一端３１にサドル２１を引掛け可能な引掛部３５が形成されている。引掛部３５は、サドル２１の幅よりも長い部分を有するように、本実施形態では、サドル２１の幅（Ｕ字状のサドルにおける、一方側の部分と他方側の部分との間の長さ）よりも長いボルト３６を有し、輪状にしたワイヤー一端３１にボルト３６を挿通して、ワイヤー一端３１がボルト３６の長さ方向に移動しないようにワイヤー一端３１をボルト３６に対して固定することにより形成される。そして、図５に示すように、サドル２１の幅方向とボルト３６の長さ方向とが平行となる状態で、引掛部３５は接続管１１に当接されて固定されている。これにより、ボルト２２の締め付けが緩まるなどにより、灯具２０のポール１０に対する固定状態が解消されたときに、サドル２１を引掛部３５が引掛ける。これにより、ワイヤー３０の一端３１によって灯具２０を支持可能となっている。
【００２６】
したがって、ワイヤー３０の一端３１に形成した引掛部３５により灯具３０の落下を防止することができるから、ワイヤー固定部を設けた新たな灯具を製造することなく、既存の灯具２０を用いながら、灯具２０の落下を防止できる。
【００２７】
このように、この灯具落下防止構造では、ポール側抜止機構Ｘ１によりワイヤー３０の他端３２をポール１０に対して固定するとともに、灯具側抜止機構Ｙ１により、灯具２０のポール１０に対する固定状態が解消されたときに、ワイヤー３０の一端３１側によって灯具２０を支持可能にすることで、照明ポール１において灯具２０の落下を防止する。
【００２８】
次に、本実施形態における灯具落下防止構造の設置方法について、図を用いて説明する。まず、ポール１０に挿通するワイヤー３０の一端３１には上記した引掛部３５を設けておく。図３，５に示すように、作業者は、灯具２０のカバー２３を開けて、引掛部３５が連結管１１に当接するまで、ワイヤー３０の他端３２の側から連結管１１にワイヤー３０を挿通していく。これにより、灯具側抜止機構Ｙ１が形成される。このとき、ワイヤー３０は少なくとも点検口１２に至る長さは有しており、ワイヤー３０の他端３２を点検口１２から取り出すことができる。次に、作業者は、ポール１０の点検口１２まで移動し、ポール側抜止機構Ｘ１を形成する。つまり、必要に応じて余剰分のワイヤーを切り落としてから、図７に示すように、点検口１２から取り出したワイヤー３０の他端３２を上記したように輪状に形成し、図６に示すように、プレート部材１４に設けたシャックル１４ｂにワイヤー３０の他端３２を固定する。その後、プレート部材１４を点検口１２に当て付けた状態で、プレート部材１４の上から点検口蓋１３を点検口１２に取付けることによりポール側抜止機構Ｘ１が形成される。このようにして、既存のポール１０及び灯具２０を持ちながら、ポール側抜止機構Ｘ１と灯具側抜止機構Ｙ１とにより本実施形態における灯具落下防止構造を容易に形成することができる。
【００２９】
〔第２の実施形態〕
本考案に係る照明ポールの灯具落下防止構造の第２の実施形態について、図面を参照して説明する。本実施形態では、第１実施形態におけるポール側抜止機構Ｘ１とは異なる別のポール側抜止機構Ｘ２を採用している。つまり、本実施形態では、図８に示すように、ポール側抜止機構Ｘ１に代えて、点検口蓋１３の点検口１２側の面１３ａにワイヤー３０の他端３２を固定してポール側抜止機構Ｘ２を有する。より詳しくは、点検口蓋１３の点検口１２側の面１３ａには同様にシャックル１３ｂを設けられている。そして、ワイヤー他端３２は第１実施形態と同様に輪状に形成されている。そして、輪状にしたワイヤー他端３２がシャックル１３ｂによって点検口蓋１３に固定される。このようにしてポール側抜止機構Ｘ２が形成される。これにより、点検口蓋１３をワイヤー固定可能なものに変更するのみで、既存のポール１０を用いながらも、灯具の落下を防止できる。なお、他の構成については、第１の実施形態と同様であり、同一の符号を付して詳細な説明は省略する。
【００３０】
〔第３の実施形態〕
本考案に係る照明ポールの灯具落下防止構造の第３の実施形態について、図面を参照して説明する。本実施形態では、第１実施形態におけるポール側抜止機構Ｘ１とは異なる別のポール側抜止機構Ｘ３を採用し、且つ、第１実施形態における灯具側抜止機構Ｙ１とは異なる別の灯具側抜止機構Ｙ２を採用してある。以下、本実施形態に係る灯具落下防止構造について、主に第１の実施形態との相違点について説明する。なお、特に明記しない点に関しては、第１の実施形態と同様であり、同一の符号を付して詳細な説明は省略する。
【００３１】
本実施形態では、図１２に示すように、ポール内部における、点検口１２よりも先端１０ａ側に位置し、その内径がポール１０における点検口１２側の内径よりも小さい部分である縮径部１５を利用した、縮径部１５の内径よりも大きい幅に形成された部分を有する係止具４０を、縮径部１５よりも点検口１２側においてワイヤー３０の他端３２に固定してポール側抜止機構Ｘ３を有する。
【００３２】
より具体的には、ポール１０は、縮径部１５として、連結管１１のポール側端部１１ａを有している。なお、連結管１１はポール先端１０ａに取付けられて点検口１２よりも先端１０ａ側に位置するものであり、その外径がポール先端１０ａにおける内径と略同一であるので、少なくとも連結管１１の内径は点検口１２側の内径よりも小さい部分である。
【００３３】
係止具４０は、図１３（ａ）に示すように、抜け止め部４１とワイヤー固定部４２とを備え、図１３（ｂ）に示すように、側面視において抜け止め部４１が横向きでワイヤー固定部４２が縦向きとなるＬ字状に形成されている。図１０に示すように、ワイヤー固定部４２に設けた取付孔４２ａ（図１３（ｂ）（ｃ）参照）にワイヤー他端３２を挿通し、ワイヤー３０のうち取付孔４２ａから点検口１２側に出ている部分を圧縮スリーブなどの適当な固定手段４３で固定し、ワイヤー他端３２に対して係止具４０を固定する。また、抜け止め部４１は、連結管１１のポール側端部１１ａの内径よりも大きい幅に形成された部分４１ａを有する。
【００３４】
つまり、縮径部１５よりも大きな幅で形成された部分４１ａを有する係止具４０を縮径部１５よりも点検口１２側においてワイヤー他端３２に固定することにより、灯具２０がポール１０から抜けて落下しようとする場合に、縮径部１５が係止具４０（部分４１ａ）を抜け止めして灯具の落下を防止することができる。このように、新たに係止具４０を用いるのみで、既存の照明ポールを用いながらも、灯具の落下を防止できる。
【００３５】
さらに、本実施形態では、図１２に示すように、係止具４０が縮径部１５（連結管１１のポール側端部１１ａ）に当接する状態で形成されている。そして、縮径部１５はポール先端１０ａに設けられた連結管１１のポール側端部１１ａであり、即ち、縮径部１５はポール１０の先端１０ａに形成されている。これにより、係止具４０と縮径部１５との間が当接していない両者間に遊びがある状態に比べ、必要なワイヤー長を短くすることができ、かつ、縮径部４０がポール１０の先端１０ａにあることにより灯具側抜止機構Ｙ２から縮径部１５までの長さが短くなるから、必要なワイヤー長を短くすることができる。
【００３６】
また、本実施形態では、図１２に示すように、ワイヤー３０の一端３１は輪状に形成され、灯具側抜止機構Ｙ２は、灯具２０に対して既設のボルト２４によりワイヤー３０の一端３１を灯具２０に対して固定することで、灯具２０のポール１０に対する固定状態が解消されたときに、ワイヤー３０の一端３１によって灯具２０を支持可能である。なお、ワイヤー一端３１を輪状に形成するには、上記したように、例えば、シンブルや圧縮スリーブを用いればよい。そして、ボルト２４により元々固定していた部材とボルト２４との間に輪状のワイヤー一端３１を介在させた状態でボルト２４を締めつけて、ワイヤー一端３１を灯具２０に固定させる。このように、本実施形態では、灯具２０に対して何らかの他の部材を固定するためなど元々灯具２０に使用されていた既設のボルト２４によりワイヤー３０の一端３１を灯具２０に固定することで、灯具の落下を防止することができるから、ワイヤー固定部を設けた新たな灯具を製造することなく、既存の灯具を用いながら、灯具の落下を防止できる。
【００３７】
次に、本実施形態における灯具落下防止構造の設置方法について、図を用いて説明する。図９に示すように、灯具２０のカバー２３を開けて、ワイヤー他端３２が点検口１２に至るまで、ワイヤー３０の他端３２の側から連結管１１にワイヤー３０を挿通していく。次に、図１０に示すように、ポール１０の点検口１２において、点検口１２からのぞいているワイヤー３０の他端３２に対し、上記したように係止具４０を固定する。その後、図１１に示すように、係止具４０が連結管１１のポール側端部１１ａに当接するまで、ワイヤー他端３２をポール先端１０ａ側に引き寄せる。そして、必要に応じて余剰分のワイヤーを切り落としてから、図１２に示すように、ワイヤー３０の一端３１を輪状に形成し、係止具４０が連結管１１のポール側端部１１ａに当接する状態で、既設のボルト２４により輪状のワイヤー一端３１を灯具２０に対して固定する。このようにして、既存のポール１０及び灯具２０を持ちながら、ポール側抜止機構Ｘ３と灯具側抜止機構Ｙ２とにより本実施形態における灯具落下防止構造を容易に形成することができる。
【００３８】
〔その他の実施形態〕
最後に、本考案に係る照明ポールの灯具落下防止構造のその他の実施形態について説明する。なお、以下のそれぞれの実施形態で開示される構成は、矛盾が生じない限り、他の実施形態で開示される構成と組み合わせて適用することも可能である。
【００３９】
（１）上記の実施形態では、灯具落下防止構造において、ポール側抜止機構Ｘ１若しくはＸ２と灯具側抜止機構Ｙ１、又は、ポール側抜止機構Ｘ３と灯具側抜止機構Ｙ２との組み合わせを採用した構成を例として説明した。しかし、本考案の実施形態はこれに限定されない。例えば、ポール側抜止機構Ｘ１若しくはＸ２と灯具側抜止機構Ｙ２、又は、ポール側抜止機構Ｘ３と灯具側抜止機構Ｙ１との組み合わせを採用した構成としても良く、また、灯具側抜止機構Ｙ１，Ｙ２とは異なる灯具側抜止機構を採用しても良い。
【００４０】
（２）上記の実施形態では、灯具側抜止機構Ｙ１において、ワイヤー３０の一端３１における引掛部３５を、サドル２１の幅よりも長いボルト３６を用いて形成した構成を例として説明した。しかし、本考案の実施形態はこれに限定されず、引掛部３５を爪状に形成して、爪状の引掛部３５によりサドル２１（挟持具）を引掛けるようにしてもよい。
【００４１】
（３）第３実施形態では、ポール側抜止機構Ｘ３を、抜け止め部４１とワイヤー固定部４２とを備える側面視Ｌ字状に形成した係止具４０を、縮径部１５としての接続管１１のポール側端部１１ａに当接させる構成を例として説明した。しかし、本考案の実施形態はこれに限定されない。例えば、先端に向かうにつれて徐々に縮径するポール１０の任意箇所やその他ポール１０における点検口１２側の内径より小さい部分を縮径部１５として利用しても良い。係止具４０は、縮径部の内径よりも大きい幅に形成された部分を有するものであれば球状など他の形状でも良く、また、縮径部１５に対して当接させずに両者間に遊びがある状態としても良い。
【００４２】
（４）上記の実施形態では、ポール先端１０ａに設けた接続管１１に対して、挟持具としてのサドル２１と灯具２０とにより接続管１１を挟持することにより、灯具２０を取り付けた構成を例として説明した。しかし、本考案の実施形態はこれに限定されない。例えば、挟持具はサドル２１以外のものに適宜変更可能であり、また、ポール先端１０ａに接続管１１を設けることなく、ポール先端１０ａに対して直接灯具２０を取り付けても良い。また、挟持具と灯具２０とで連結管を挟持することに限らず、挟持具のみで連結管を挟持する構成であっても良い。
【００４３】
（５）その他の構成に関しても、本明細書において開示された実施形態は全ての点で例示であって、本考案の範囲はそれらによって限定されることはないと理解されるべきである。当業者であれば、本考案の趣旨を逸脱しない範囲で、適宜改変が可能であることを容易に理解できるであろう。従って、本考案の趣旨を逸脱しない範囲で改変された別の実施形態も、当然、本考案の範囲に含まれる。
【産業上の利用可能性】
【００４４】
本考案は、例えば照明ポールにおける灯具の落下を防止するために利用することができる。
【符号の説明】
【００４５】
１                  照明ポール
１０                ポール
１１                連結管（ポールの先端部）
１２                点検口
１２ａ              開口面
１３                点検口蓋
１４                プレート部材
１５                縮径部
２０                灯具
２１                挟持具
２４                既設のボルト
３０                ワイヤー
３１                一端
３２                他端
３５                引掛部
４０                係止具
４１ａ              縮径部の内径よりも大きい幅に形成された部分
Ｘ１，Ｘ２，Ｘ３    ポール側抜止機構
Ｙ１，Ｙ２          灯具側抜止機構
【図１】
0003199500.tif 000003
【図２】
0003199500.tif 000004
【図３】
0003199500.tif 000005
【図４】
0003199500.tif 000006
【図５】
0003199500.tif 000007
【図６】
0003199500.tif 000008
【図７】
0003199500.tif 000009
【図８】
0003199500.tif 000010
【図９】
0003199500.tif 000011
【図１０】
0003199500.tif 000012
【図１１】
0003199500.tif 000013
【図１２】
0003199500.tif 000014
【図１３】
0003199500.tif 000015